(57)【要約】  【解決手段】  ヘッド本体および少なくとも一個の弾性エアクッションにより構成される。ヘッド本体にはフェース板が結合され、弾性エアクッションはフェース板の後方の適当な位置に位置される。弾性エアクッションはエアバッグと気室により組成され、弾性エアクッションには気体に類似した弾性圧縮の特性が形成されるため、打球の応力を減損しない状態でフェース板の打球の余震を有効に吸収できるように構成されている。  【効果】  フェース板の後方に弾性エアクッションを形成させ、弾性エアクッションにはエアバッグと気室が設けられることにより、エアによる非線性の弾性圧縮の特性が形成されるため、打球の余震を有効に吸収し、打球の応力の減損を確実に避け、クラブの握持の快適さを増やし、打球の正確性を高め、全体の打球の性能を確保することができる。【選択図】    図２
2006000135.tif 000002
【特許請求の範囲】
【請求項１】
ヘッド本体（１）および少なくとも一個の弾性エアクッション（２）により構成される振動吸収可能なゴルフクラブヘッドの構造であって、ヘッド本体（１）にはフェース板（１１）が結合され、フェース板（１１）の正面はゴルフボールを打球するのに用いられ、少なくとも一個の弾性エアクッション（２）はフェース板（１１）の後方の適当な位置に位置され、弾性エアクッション（２）にはエアバッグ（２１）と気室（２２）が含まれ、エアバッグ（２１）は弾性材料により製成され、気室（２２）には少なくとも気体が充填されることにより、弾性エアクッション（２）には気体による弾性圧縮の特性が形成されるため、打球の応力を減損しない状態でフェース板（１１）の打球の余震を有効に吸収することができることを特徴とする振動吸収可能なゴルフクラブヘッドの構造。
【請求項２】
エアバッグ（２１）の弾性材料はゴム、ポリウレタン、熱塑性弾性材、高分子弾性樹脂から選択することを特徴とする請求項１記載の振動吸収可能なゴルフクラブヘッドの構造。
【請求項３】
エアバッグ（２１）の弾性材料のショアー硬度は好ましくはshore Ａ ４０からshoreＤ ４０の間に介在することを特徴とする請求項１記載の振動吸収可能なゴルフクラブヘッドの構造。
【請求項４】
弾性エアクッション（２）の気室（２２）は封止するように形成され、さらに気室（２２）は外部の大気に相対して等圧、高圧になることができるように形成されることを特徴とする請求項１記載の振動吸収可能なゴルフクラブヘッドの構造。
【請求項５】
弾性エアクッション（２）の気室（２２）は封止するように形成され、さらに気室（２２）には一部分の液体（２３）を注入することができることを特徴とする請求項１記載の振動吸収可能なゴルフクラブヘッドの構造。
【請求項６】
液体（２３）は水、油、ゲル状流動物、無腐食性の水溶液、有機溶液、混合溶液、粘着性を有する溶液から選択することを特徴とする請求項５記載の振動吸収可能なゴルフクラブヘッドの構造。
【請求項７】
弾性エアクッション（２）のエアバッグ（２１）には微小スルーホール（２４）が設けられ、微小スルーホール（２４）により気室（２２）を外部の大気と連通することを特徴とする請求項１記載の振動吸収可能なゴルフクラブヘッドの構造。
【請求項８】
ヘッド本体（１）はアイアン型のヘッドからなり、ヘッド本体（１）にはキャビティ（１２）と収容室（１３）が設けられ、キャビティ（１２）にはフェース板（１１）の背面が露出され、収容室（１３）は弾性エアクッション（２）を収容するのに用いられることを特徴とする請求項１記載の振動吸収可能なゴルフクラブヘッドの構造。
【請求項９】
収容室（１３）の開口部は後方へ向くように形成されると共に、前方へ向いてキャビティ（１２）とフェース板（１１）の背面を連通するように形成されることにより、弾性エアクッション（２）は部分的にフェース板（１１）の背面に緊密に貼接することができるように形成されることを特徴とする請求項８記載の振動吸収可能なゴルフクラブヘッドの構造。
【請求項１０】
弾性エアクッション（２）は部分的にフェース板（１１）のスイートスポットの背面に緊密に貼接するように形成されることを特徴とする請求項９記載の振動吸収可能なゴルフクラブヘッドの構造。
【請求項１１】
弾性エアクッション（２）は部分的にフェース板（１１）の余震が集中する区域の背面に緊密に貼接するように形成され、例えば背面のヒール部とトウ部の位置に形成されることを特徴とする請求項９記載の振動吸収可能なゴルフクラブヘッドの構造。
【請求項１２】
収容室（１３）の開口部は上方へ向くように形成されると共に、前方へ向いてキャビティ（１２）とフェース板（１１）の背面を連通するように形成されることにより、弾性エアクッション（２）は部分的にフェース板（１１）の背面に緊密に貼接することができるように形成されることを特徴とする請求項８記載の振動吸収可能なゴルフクラブヘッドの構造。
【請求項１３】
弾性エアクッション（２）は部分的にフェース板（１１）のスイートスポットの背面に緊密に貼接するように形成されることを特徴とする請求項１２記載の振動吸収可能なゴルフクラブヘッドの構造。
【請求項１４】
弾性エアクッション（２）は部分的にフェース板（１１）の余震が集中する区域の背面に緊密に貼接するように形成され、例えば背面のヒール部とトウ部の位置に形成されることを特徴とする請求項１２記載の振動吸収可能なゴルフクラブヘッドの構造。
【請求項１５】
ヘッド本体（１）は底部の末端から上方へ向いて延伸するように重り（１４）が形成されることにより、全体の重心を調整することができ、さらに収容室（１３）は重り（１４）とフェース板（１１）の背面との間に形成されることを特徴とする請求項１２記載の振動吸収可能なゴルフクラブヘッドの構造。
【請求項１６】
収容室（１３）の開口部は後方へ向くように形成されると共に、キャビティ（１２）とフェース板（１１）の背面を連通しないように形成されることにより、弾性エアクッション（２）はフェース板（１１）の背面に直接接触することがないように形成されることを特徴とする請求項８記載の振動吸収可能なゴルフクラブヘッドの構造。
【請求項１７】
ヘッド本体（３）はウッド型のヘッドからなり、ヘッド本体（３）には密閉するように内部空間（３２）が形成され、内部空間（３２）の底部には嵌設部（３３）が設けられ、嵌設部（３３）に弾性エアクッション（４）を収容することができることを特徴とする請求項１記載の振動吸収可能なゴルフクラブヘッドの構造。
【請求項１８】
嵌設部（３３）はフェース板（３１）の背面に近接するように形成されることにより、弾性エアクッション（４）は部分的にフェース板（３１）の背面に緊密に貼接することができるように形成されることを特徴とする請求項１７記載の振動吸収可能なゴルフクラブヘッドの構造。
【請求項１９】
弾性エアクッション（４）は部分的にフェース板（３１）のスイートスポットの背面に緊密に貼接するように形成されることを特徴とする請求項１８記載の振動吸収可能なゴルフクラブヘッドの構造。
【請求項２０】
弾性エアクッション（４）は部分的にフェース板（３１）の余震が集中する区域の背面に緊密に貼接するように形成され、例えば背面のヒール部とトウ部の位置に形成されることを特徴とする請求項１８記載の振動吸収可能なゴルフクラブヘッドの構造。
【請求項２１】
嵌設部（３３）はヘッド本体（３）の後部の内周壁に近接するように形成されることにより、弾性エアクッション（４）はヘッド本体（３）の後部の内周壁に緊密に貼接するように形成されることを特徴とする請求項１７記載の振動吸収可能なゴルフクラブヘッドの構造。
【発明の詳細な説明】
【技術分野】
【０００１】
本発明は振動吸収可能なゴルフクラブヘッドの構造に関するもので、特に弾性エアクッションを利用して打球の余震を有効に吸収すると共に、打球の性能を確保することができる振動吸収の構造に係るものである。
【背景技術】
【０００２】
従来の振動吸収可能なゴルフクラブヘッドの構造としては、図１２に示すようにヘッド本体１００および振動吸収材２００が含まれる。ヘッド本体１００にはフェース板１０１とキャビティ１０２が設けられる。フェース板１０１はゴルフボールを打球するのに用いられる。キャビティ１０２は振動吸収材２００を収容するのに用いられる。振動吸収材２００は好ましくは硬度がshore Ｄ ２０から５０の間に介在する材料から選択し、例えばポリウレタン（polyurethane ，PU）である。これにより、打球時において、振動吸収材２００により打球時に生じた余震を適当に吸収することができるため、使用者の手部の握持の快適さを相対的に増やすことができるようにとしたものがある（例えば、特許文献１を参照）。
【特許文献１】米国特許番号第５，２９０，０３６号
【発明の開示】
【発明が解決しようとする課題】
【０００３】
上記のような従来の振動吸収可能なゴルフクラブヘッドの構造においては、力学の分析上において打球の正確性と方向のコントロール性を高めるべく、ゴルフボールがフェース板１０１と接触し始めた時、フェース板１０１は好ましくは微小な打球の応力の作用を受けなければならず、そして迅速に大量な圧縮変形に形成される。それに反して、ゴルフボールがフェース板１０１から離れようとする時、フェース板１０１は好ましくは最大な弾性変形量から現状まで迅速に弾性回復しなければならず、このようにして比較的強い反発作用力が形成されてゴルフボールにフィードバックすることができる。しかし、フェース板１０１が連続的な弾性変形の期間においてフェース板１０１には必ず後方へ向いて圧力が生じるため、振動吸収材２００の体積が変形するように圧縮してしまうという問題点があった。しかし、フェース板１０１に弾性変形が生じ始めた時、振動吸収材２００は弾性変形能力の低下によってフェース板１０１に過度に緊密に当接するように形成されるため、打球の性能に影響を及ぼしてしまう。また、ヘッド本体１００がゴルフボールに接触し始めた時から、上記ゴルフボールがヘッド本体１００から離れようとする時までの接触の期間において、フェース板１０１は振動吸収材２００の過度な当接により有効に後方へ屈曲し変形することができないため、上記ゴルフボールとの接触時間が長くなる。その結果、振動吸収材２００の設置により最良な振動吸収の効果に達することができないだけではなく、全体の打球の飛距離を大幅に下げてしまうという問題点があった。そのため、上記のような従来の振動吸収可能なゴルフクラブヘッドの構造をさらに改良しなければならない。
【０００４】
本発明はこのような問題点に鑑みて発明したものであって、その目的とするところは、フェース板の後方に弾性エアクッションを形成させ、弾性エアクッションにはエアバッグと気室が設けられることにより、エアによる非線性の弾性圧縮の特性が形成されるため、打球の余震を有効に吸収すると共に、打球の応力の減損を確実に避け、クラブの握持の快適さを増やし、打球の正確性を高め、さらに全体の打球の性能を確保することができる振動吸収可能なゴルフクラブヘッドの構造を提供しようとするものである。
【０００５】
本発明の第一の目的は、フェース板の後方の適当な位置に弾性エアクッションを形成させ、弾性エアクッションにより打球の応力を減損しない状態で打球の余震を有効に吸収することができるため、クラブの握持の快適さを増やし、打球の正確性を高め、さらに全体の打球の性能を確保することができる振動吸収可能なゴルフクラブヘッドの構造を提供しようとするものである。
【０００６】
本発明の第二の目的は、フェース板の後方の適当な位置に弾性エアクッションを形成させ、弾性エアクッションには複数個の微小スルーホールが設けられるため、打球の余震を吸収する期間において内部の気体を適当に釈放することにより、クラブの握持の快適さを増やすことができる振動吸収可能なゴルフクラブヘッドの構造を提供しようとするものである。
【０００７】
本発明の第三の目的は、フェース板の後方の適当な位置に弾性エアクッションを形成させ、弾性エアクッションには気体と液体が含まれることにより、打球の余震を有効に吸収することができるため、クラブの握持の快適さを増やすことができる振動吸収可能なゴルフクラブヘッドの構造を提供しようとするものである。
【０００８】
上記目的を達成するために、本発明による振動吸収可能なゴルフクラブヘッドの構造は、下記のようになるものである。すなわち、
ヘッド本体および少なくとも一個の弾性エアクッションにより構成される。ヘッド本体にはフェース板が結合され、フェース板の正面はゴルフボールを打球するのに用いられる。少なくとも一個の弾性エアクッションはフェース板の後方の適当な位置に位置され、弾性エアクッションにはエアバッグと気室が含まれ、エアバッグは弾性材料により製成され、気室には少なくとも気体が充填されることにより、弾性エアクッションには気体による弾性圧縮の特性が形成されるため、打球の応力を減損しない状態でフェース板の打球の余震を有効に吸収することができる。
【０００９】
本発明による振動吸収可能なゴルフクラブヘッドの構造は、エアバッグの弾性材料はゴム、ポリウレタン、熱塑性弾性材、高分子弾性樹脂から選択することもできる。また、エアバッグの弾性材料のショアー硬度は好ましくはshore Ａ ４０からshore Ｄ ４０の間に介在することもできる。また、弾性エアクッションの気室は封止するように形成され、さらに気室は外部の大気に相対して等圧、高圧になることができるように形成されることもできる。また、弾性エアクッションの気室は封止するように形成され、さらに気室には一部分の液体を注入することもできる。また、液体は水、油、ゲル状流動物、無腐食性の水溶液、有機溶液、混合溶液、粘着性を有する溶液から選択することもできる。また、弾性エアクッションのエアバッグには微小スルーホールが設けられ、微小スルーホールにより気室を外部の大気と連通することもできる。また、ヘッド本体はアイアン型のヘッドからなり、ヘッド本体にはキャビティと収容室が設けられ、キャビティにはフェース板の背面が露出され、収容室は弾性エアクッションを収容するのに用いられることもできる。また、収容室の開口部は後方へ向くように形成されると共に、前方へ向いてキャビティとフェース板の背面を連通するように形成されることにより、弾性エアクッションは部分的にフェース板の背面に緊密に貼接することができるように形成されることもできる。また、弾性エアクッションは部分的にフェース板のスイートスポットの背面に緊密に貼接するように形成されることもできる。また、弾性エアクッションは部分的にフェース板の余震が集中する区域の背面に緊密に貼接するように形成され、例えば背面のヒール部とトウ部の位置に形成されることもできる。また、収容室の開口部は上方へ向くように形成されると共に、前方へ向いてキャビティとフェース板の背面を連通するように形成されることにより、弾性エアクッションは部分的にフェース板の背面に緊密に貼接することができるように形成されることもできる。また、弾性エアクッションは部分的にフェース板のスイートスポットの背面に緊密に貼接するように形成されることもできる。また、弾性エアクッションは部分的にフェース板の余震が集中する区域の背面に緊密に貼接するように形成され、例えば背面のヒール部とトウ部の位置に形成されることもできる。また、ヘッド本体は底部の末端から上方へ向いて延伸するように重りが形成されることにより、全体の重心を調整することができ、さらに収容室は重りとフェース板の背面との間に形成されることもできる。また、収容室の開口部は後方へ向くように形成されると共に、キャビティとフェース板の背面を連通しないように形成されることにより、弾性エアクッションはフェース板の背面に直接接触することがないように形成されることもできる。また、ヘッド本体はウッド型のヘッドからなり、ヘッド本体には密閉するように内部空間が形成され、内部空間の底部には嵌設部が設けられ、嵌設部に弾性エアクッションを収容することもできる。また、嵌設部はフェース板の背面に近接するように形成されることにより、弾性エアクッションは部分的にフェース板の背面に緊密に貼接することもできる。また、弾性エアクッションは部分的にフ���ース板のスイートスポットの背面に緊密に貼接するように形成されることもできる。また、弾性エアクッションは部分的にフェース板の余震が集中する区域の背面に緊密に貼接するように形成され、例えば背面のヒール部とトウ部の位置に形成されることもできる。また、嵌設部はヘッド本体の後部の内周壁に近接するように形成されることにより、弾性エアクッションはヘッド本体の後部の内周壁に緊密に貼接するように形成されることもできる。
【発明の効果】
【００１０】
本発明の振動吸収可能なゴルフクラブヘッドの構造によれば、フェース板の後方の適当な位置に弾性エアクッションを形成させ、弾性エアクッションにより打球の応力を減損しない状態で打球の余震を有効に吸収することができるため、クラブの握持の快適さを増やし、打球の正確性を高め、さらに全体の打球の性能を確保することができるという利点がある。
【００１１】
本発明の振動吸収可能なゴルフクラブヘッドの構造によれば、フェース板の後方の適当な位置に弾性エアクッションを形成させ、弾性エアクッションには複数個の微小スルーホールが設けられるため、打球の余震を吸収する期間において内部の気体を適当に釈放することにより、クラブの握持の快適さを増やすことができるという利点がある。
【００１２】
本発明の振動吸収可能なゴルフクラブヘッドの構造によれば、フェース板の後方の適当な位置に弾性エアクッションを形成させ、弾性エアクッションには気体と液体が含まれることにより、打球の余震を有効に吸収することができるため、クラブの握持の快適さを増やすことができるという利点がある。
【発明を実施するための最良の形態】
【００１３】
本発明の実施の形態について、以下、図面を参照して説明する。
【実施例１】
【００１４】
図１、２を参照すると、本発明の実施例１の振動吸収可能なゴルフクラブヘッドの構造にはヘッド本体１および少なくとも一個の弾性エアクッション２が含まれる。ヘッド本体１はアイアン型のヘッドからなり、ヘッド本体１にはフェース板１１が結合されると共に、ヘッド本体１にはキャビティ１２と収容室１３が設けられる。ヘッド本体１は溶接、硬ろう付け、嵌設、螺合または一体成形の方式によりフェース板１１に結合されることにより、フェース板１１を利用してゴルフボールを打球することができる。キャビティ１２はヘッド本体１の背部に設けられると共に、キャビティ１２にはフェース板１１の背面が露出される。収容室１３はヘッド本体１１の後部の下方に凹むように設けられ、そして収容室１３の開口部は後方に向くように形成されると共に、前方へ向いてキャビティ１２とフェース板１１の背面を連通するように形成される。弾性エアクッション２は収容室１３の中に貼接し収容するように形成され、そして好ましくは部分的にフェース板１１の背面に緊密に貼接するように形成され、特にスイートスポット（sweet spot）または余震が集中する区域の背面に緊密に貼接するように形成され、例えばヒール部（heel）またはトウ部（toe）の位置に形成される。弾性エアクッション２はエアバッグ２１と気室２２により組成される。エアバッグ２１は弾性材料により製成され、例えばゴム、ポリウレタン（PU，polyurethane）、熱塑性弾性材（thermoplastic elastomer）または高分子弾性樹脂などにより製成され、または例えば透明な材質により製成することができる。上記のような弾性材料のショアー硬度は好ましくはshore Ａ ４０からshore Ｄ ４０の間に介在するように制御される。気室２２は封止状に形成され、気室２２に適当な気体を注入することができ、そして外部の大気に相対して例えば等圧または高圧になることができるように形成される。
【００１５】
その他に、表面に商標または図案が形成された表示札（図示せず）を予め収容室１３に置き入れ、それから弾性エアクッション２を収容室１３の内部に置き入れることにより、上記商標または図案は透明な材質により製成された弾性エアクッション２を経て目視することができる。或いは、いかなる材質により製成された弾性エアクッション２を先に収容室１３の内部に置き入れ、それから上記表示札を弾性エアクッション２の表面に貼り付けることにより、ヘッド本体１の背面における視覚効果を適当に増やすことができる。
【００１６】
力学の分析上において、ヘッド本体１が打球時においてゴルフボールは順序に従って下記の段階を経ており、ａ）フェース板１１と接触し始める段階、ｂ）フェース板１１が最大な弾性変形を生じる段階、ｃ）最終的にフェース板１１から離脱する段階である。上記各段階において、フェース板１１が後方へ弾性変形を生じた時、フェース板１１には連続的な変化によって必ず圧力が生じるため、上記圧力により弾性エアクッション２を押圧すると共に、弾性エアクッション２の体積には連続的な圧縮変形が生じてしまう。
【００１７】
上述の如く、弾性エアクッション２の気室２２には適量な気体が含まれるため、弾性エアクッション２が圧力を受けた時には比較的弾性による圧縮変形が生じ易い。すなわち、上記ａ）の段階において、フェース板１１が弾性変形を生じ始め、そして比較的小さい圧力を弾性エアクッション２に提供しても、上記圧力が段々大きくなると、弾性エアクッション２の体積が瞬間的に圧縮して小さくなるのを迅速に促成することができるため、本発明は上記ａ）の段階において弾性エアクッション２がフェース板１１を過度に当接するのを有効に避けることができ、さらに上記ゴルフボールがフェース板１１に停留する時間を遅延することができるが、やはり全体の打球の性能を確保することができる。上記ｂ）の段階において、フェース板１１には最大な弾性変形が生じると共に、最大な圧力が生じ、上記圧力により弾性エアクッション２を最大な圧縮の体積に近い状態まで圧縮するため、弾性エアクッション２はフェース板１１に当接し支持すると共に、上記ゴルフボールとフェース板１１との接触時間を相対的に延長し、さらに方向のコントロール性と打球の正確性を高めることができる。上記ｃ）の段階において、フェース板１１から生じた圧力が段々とゼロになるに従い、弾性エアクッション２の体積も元の体積まで迅速に回復するため、ゴルフボールを打ち出した後、フェース板１１からゴルフボールまでフィードバックしていない部分的な打球の応力により余震が生じてしまうが、弾性エアクッション２はフェース板１１に確実に緊密に貼接するように形成されることにより、上記余震を有効に吸収することができ、さらにクラブの握持の快適さを増やすことができる。
【実施例２】
【００１８】
図３、４を参照すると、本発明の実施例２の振動吸収可能なゴルフクラブヘッドの構造が掲示される。実施例１と比較すると、実施例２において収容室１３の開口部は上方へ向くように形成されると共に、上方へ向いてキャビティ１２とフェース板１１の背面を連通するように形成され、そして収容室１３に弾性エアクッション２を収容することができるため、弾性エアクッション２は部分的にフェース板１１の背面に緊密に貼接するように形成される。また、ヘッド本体１にもその底部の末端から上方へ延伸して重り１４が形成されることにより、全体の重心を調整することができる。さらに、収容室１３は重り１４とフェース板１１の背面の間に形成される。上記の設計により、弾性エアクッション２によって同様に全体の打球の性能を確保し、方向のコントロール性と打球の正確性を高め、余震を有効に吸収し、さらにクラブの握持の快適さを増やすことができる。
【実施例３】
【００１９】
図５を参照すると、本発明の実施例３の振動吸収可能なゴルフクラブヘッドの構造が掲示される。実施例１、２と比較すると、実施例３において弾性エアクッション２の気室２２には適量な気体が注入された他に、同時に適量な液体２３が注入されている。液体２３は水、油、ゲル状流動物、無腐食性の水溶液、有機溶液、混合溶液または粘着性を有する溶液から選択する。ヘッド本体１が打球を行う時、気室２２の液体２３はそのものの粘性から生じた抵抗を利用してヘッド本体１の余震を吸収することができる。また、気室２２の内部の一部分の気体により弾性エアクッション２の弾性圧縮の特性を維持することができる。
【実施例４】
【００２０】
図６を参照すると、本発明の実施例４の振動吸収可能なゴルフクラブヘッドの構造が掲示される。実施例１、２と比較すると、実施例４において弾性エアクッション２のエアバッグ２１には複数個の微小スルーホール２４が適当に設けられ、微小スルーホール２４により気室２２と外部の大気を連通することができる。ヘッド本体１が打球を行う時、弾性エアクッション２により打球の余震を吸収することができると共に、微小スルーホール２４により内部の気体を適当に釈放することができるため、弾性エアクッション２の弾性圧縮を速めることができる。
【実施例５】
【００２１】
図７、８を参照すると、本発明の実施例５の振動吸収可能なゴルフクラブヘッドの構造が掲示される。実施例１と比較すると、実施例５においてヘッド本体１には後部の下方から収容室１３が設けられる。収容室１３の開口は後方へ向くように形成されるが、キャビティ１２とは連通しないように、さらにフェース板１１の背面とは接触しないように形成される。収容室１３に弾性エアクッション２を収容することができる。これにより、ヘッド本体１が打球を行う時、弾性エアクッション２は間接的にヘッド本体１を経てフェース板１１が打球時に生じた余震を吸収することができる。また、弾性エアクッション２はフェース板１１と直接接触していないため、フェース板１１の打球の応力の減損を有効に避けることができる。
【実施例６】
【００２２】
図９を参照すると、本発明の実施例６の振動吸収可能なゴルフクラブヘッドの構造が掲示される。実施例５と比較すると、実施例６においてヘッド本体１には後部の下方のヒール部とトウ部から二個の収容室１３ａ、１３ｂが設けられる。収容室１３ａ、１３ｂの位置はヘッド本体１の打球による余震の集中する位置と相符合するように形成される。収容室１３ａ、１３ｂはキャビティ１２と連通するようにまたは連通しないように選択することができ、或いはフェース板１１の背面と接触するようにまたは接触しないように選択することができる。収容室１３ａ、１３ｂにはそれぞれ弾性エアクッション２が収容される。これにより、ヘッド本体１が打球を行う時、弾性エアクッション２によって同様にフェース板１１から生じた余震を直接吸収することができ、或いは間接的にヘッド本体１を経てフェース板１１の余震を吸収することができる。
【実施例７】
【００２３】
図１０を参照すると、本発明の実施例７の振動吸収可能なゴルフクラブヘッドの構造が掲示される。実施例１から６と比較すると、実施例７においてヘッド本体３および弾性エアクッション４により組成されたウッド型のヘッドが掲示される。ヘッド本体３にはフェース板３１、内部空間３２と嵌設部３３が設けられる。ヘッド本体３にはフェース板３１が適当に結合される。内部空間３２はフェース板３１の後方に位置されると共に、封止状に形成される。嵌設部３３は内部空間３２の底部に形成され、そしてフェース板３１に近接する位置に形成される。弾性エアクッション４はエアバッグ４１と気室４２１により組成される。エアバッグ４１は嵌設部３３に貼接し収容されるため、エアバッグ４１は部分的にフェース板３１の背面に緊密に貼接するように形成され、特にスイートスポット（sweet spot）または余震が集中する区域の背面に緊密に貼接するように形成される。気室４２の気体により気体に類似した弾性圧縮の特性が形成される。これにより、ヘッド本体３が打球を行う時、弾性エアクッション４によりフェース板３１から生じた打球の余震を直接吸収することができる。このように、弾性エアクッション４によって同様に全体の打球の性能を確保し、方向のコントロール性と打球の正確性を高め、余震を有効に吸収し、さらにクラブの握持の快適さを増やすことができる。
【実施例８】
【００２４】
図１１を参照すると、本発明の実施例８の振動吸収可能なゴルフクラブヘッドの構造が掲示される。実施例７と比較すると、実施例８においてもウッド型のヘッドが掲示される。ヘッド本体３の嵌設部３３はヘッド本体３の後部の内周壁に近接する位置に形成されるため、弾性エアクッション４はヘッド本体３の後部の内周壁に緊密に貼接することができる。このように、ヘッド本体３が打球を行う時、弾性エアクッション４がフェース板１１の背面と接触しなくても、間接的にヘッド本体３を経てフェース板３１から生じた打球の余震を有効に吸収することができる。
【産業上の利用可能性】
【００２５】
上述の如く、図１２に示す従来の振動吸収可能なゴルフクラブヘッドの構造によれば、振動吸収材２００を利用して打球の余震を吸収するが、打球の振動を有効に吸収することができないなどの問題点があったが、図１に示す本発明の振動吸収可能なゴルフクラブヘッドの構造によれば、フェース板１１の後方の適当な位置に弾性エアクッション２を設置することにより、気体に類似した弾性圧縮の特性を確実に利用することができるため、全体の打球の性能を確保し、方向のコントロール性と打球の正確性を高め、余震を有効に吸収し、さらにクラブの握持の快適さを増やすことができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１の振動吸収可能なゴルフクラブヘッドの構造による組み立てられた状態を示す背面図である。
【図２】本発明の実施例１の振動吸収可能なゴルフクラブヘッドの構造による組み立てられた状態を示す断面図である。
【図３】本発明の実施例２の振動吸収可能なゴルフクラブヘッドの構造による組み立てられた状態を示す背面図である。
【図４】本発明の実施例２の振動吸収可能なゴルフクラブヘッドの構造による組み立てられた状態を示す断面図である。
【図５】本発明の実施例３の振動吸収可能なゴルフクラブヘッドの構造による組み立てられた状態を示す断面図である。
【図６】本発明の実施例４の振動吸収可能なゴルフクラブヘッドの構造による組み立てられた状態を示す断面図である。
【図７】本発明の実施例５の振動吸収可能なゴルフクラブヘッドの構造による組み立てられた状態を示す背面図である。
【図８】本発明の実施例５の振動吸収可能なゴルフクラブヘッドの構造による組み立てられた状態を示す断面図である。
【図９】本発明の実施例６の振動吸収可能なゴルフクラブヘッドの構造による組み立てられた状態を示す背面図である。
【図１０】本発明の実施例７の振動吸収可能なゴルフクラブヘッドの構造による組み立てられた状態を示す断面図である。
【図１１】本発明の実施例８の振動吸収可能なゴルフクラブヘッドの構造による組み立てられた状態を示す断面図である。
【図１２】従来の振動吸収可能なゴルフクラブヘッドの構造による組み立てられた状態を示す断面図である。
【符号の説明】
【００２８】
１    ヘッド本体                      １１    フェース板
１２    キャビティ                      １３    収容室
１３ａ    収容室                        １３ｂ    収容室
１４    重り                              ２    弾性エアクッション
２１    エアバッグ                      ２２    気室
２３    液体                            ２４    微小スルーホール
３    ヘッド本体                      ３１    フェース板
３２    内部空間                        ３３    嵌設部
４    弾性エアクッション              ４１    エアバッグ
４２    気室                          １００    ヘッド本体
１０１    フェース板                    １０２    キャビティ
２００    振動吸収材
【図１】
2006000135.tif 000003
【図２】
2006000135.tif 000004
【図３】
2006000135.tif 000005
【図４】
2006000135.tif 000006
【図５】
2006000135.tif 000007
【図６】
2006000135.tif 000008
【図７】
2006000135.tif 000009
【図８】
2006000135.tif 000010
【図９】
2006000135.tif 000011
【図１０】
2006000135.tif 000012
【図１１】
2006000135.tif 000013
【図１２】
2006000135.tif 000014